(57)【要約】【課題】建具枠体の大きな開口部を通気性の簾状シート材により覆われるとともに、この開口部の一部又は全部を小障子を用いて隠蔽可能とした簾障子を提供する。【解決手段】左右縦框１１Ａ、１１Ｂと、上下中桟１２Ａ、１２Ｂ、１２Ｃとからなる建具枠体２、前記上中桟１２Ａ、１２Ｃと前記左右縦框１１Ａ、１１Ｂとにより囲まれる上開口部Ｏａを背方の建具面Ｄ２側で閉止する固定障子３、前記中下桟１２Ｃ、１２Ｂと前記左右縦框１１Ａ、１１Ｂとにより囲まれる下開口部Ｏｂを覆い、かつ前記背方の建具面Ｄ２側で固定した通気性の簾状シート材４、及び常時は前記中桟１２Ｃの上方の小障子溜り２２に収納され、前記中桟１２Ｃよりも下方に引き出すことにより前記簾状シート材４の前方の建具面Ｄ１側で閉じる移動小障子群５とを具える簾障子である。前記移動小障子群５は、連続させて引き出すことにより前記下開口部Ｏｂの全面を閉じる数の移動小障子６を含む。【選択図】図３
0003138968.tif 000002
【実用新案登録請求の範囲】
【請求項１】
左右縦框と、その上下を横方向に継ぐ上下桟と、該上桟の下方で前記左右縦框間を横方向に継ぐ中桟とからなる建具枠体、
前記上桟と中桟とその間の前記左右縦框により囲まれる上開口部を背方の建具面に偏位して閉止する固定障子、
前記中桟と下桟とその間の前記左右縦框により囲まれる下開口部を覆うとともに前記背方の建具面に偏位して固定した通気性の簾状シート材、
及び常時は前記中桟上方の小障子溜りに収納されるとともに、中桟よりも下方に引き出すことにより前記簾状シート材を前方の建具面側で閉じる移動小障子群とを具え、
前記移動小障子群は、連続させて引き出すことにより前記下開口部の全面を閉じる数の移動小障子を含むことを特徴とする簾障子。
【請求項２】
前記縦框は、前記上下開口部に向く内面に、前記小障子溜りから、各移動小障子が下方に移動して、正面視して全ての移動小障子が縦に並ぶことにより前記下開口部を閉じる各移動小障子の位置までのびかつ前記移動小障子と同数の連続溝が併設されるとともに、
前記小障子溜りは、前記建具枠体に設けられ、移動小障子の上下移動に際して衝合しない状態に折り畳みでき、かつ小障子溜りの移動小障子の下端面を保持しうる戸袋金具を用いて形成されたことを特徴とする請求項１に記載の簾障子。
【請求項３】
前記縦框は、前記上下開口部に向く内面に、前記小障子溜りから、各移動小障子が順次下方に移動して、正面視して全ての移動小障子が縦に並ぶことにより前記下開口部を閉じる１本の連続溝を設けるとともに、
前記小障子溜りは、前記建具枠体に設けられ、前記縦框を横方向に継ぐとともに移動小障子の下端面を受ける受け面を用いてなり、
かつ該受け面は、前記移動小障子の下端面を露出することにより該移動小障子を持ち上げ、前記小障子溜りから前記連続溝に移動小障子を位置変えしうる欠除部を具えることを特徴とする請求項１に記載の簾障子。
【請求項４】
前記受け面は、前記中桟に形成されたことを特徴とする請求項３記載の簾障子。
【請求項５】
前記建具枠体は、前記連続溝内の移動小障子を、自在位置で係止し保持する少なくとも１つの障子止め具を有することを特徴とする請求項３又は４に記載の簾障子。
【請求項６】
前記移動小障子は、小障子枠と、その両面に配する障子紙と、該上下縁を覆い前記連続溝との摺動による破損を防ぐ保護覆いとを具えるもことを特徴とする請求項１〜５の何れかに記載の簾障子。
【請求項７】
前記保護覆いは、小障子枠の上下端面に配される基部の両側に前記障子紙を介して該小障子枠を挟む金属、合成樹脂からなるフレーム材であることを特徴とする請求項１〜６の何れかに記載の簾障子。
【請求項８】
前記保護覆いは小障子の横方向全長さを覆うことを特徴とする請求項１〜７の何れかに記載の簾障子。
【請求項９】
前記小障子は、前記小障子枠が合成樹脂からなることを特徴とする請求項１〜８の何れかに記載の簾障子。
【請求項１０】
前記障子紙は、和紙又は不織布からなることを特徴とする請求項６〜９の何れかに記載の簾障子。
【請求項１１】
前記簾状シート材は、防虫網を含むことを特徴とする請求項１〜１０の何れかに記載の簾障子。
【考案の詳細な説明】
【技術分野】
【０００１】
本考案は、建具枠体の大きな開口部を通気性の簾状シート材により覆われるとともに、この開口部の一部又は全部を小障子溜りに収納した小障子を用いて隠蔽可能とした簾障子に関する。
【背景技術】
【０００２】
日本家屋における扉、窓に用いる建具の一つとして、建具枠体に設けられた格子状の木枠に、和紙等を貼った実質的に非通気性の障子が用いられる。このような障子は、部屋の温度変化を抑える断熱性や、太陽の光をほどよく通して拡散するとともに、部屋に落ちついた明るさをもたらし、採光性に優れる。また、初夏に入ると、障子を取外し、建具枠体に簾をはめこんだ葦戸が取付けられるという慣習があった。葦戸は、通気性に優れ、風の通りをよくして、部屋間の通風も可能とする。これにより、蒸し暑い日本の夏を、快適に過ごす工夫が伝統的になされていた。
【考案の開示】
【考案が解決しようとする課題】
【０００３】
しかしながら、このような葦戸や障子は、一方が建具として使用している間、他方を納屋、収納室などに収納しなければならない。特に現代では、多くの家屋において、そのような建具の使用は、困難となっている。
【０００４】
また、葦戸や障子の取付、取外しの入換えは、高齢化社会、核家族化などに伴いその作業も難しい。さらに、都市部の多くの家屋においては、空調機器が備えられているため、特に夏場において、通気性の優れる葦戸では、部屋から冷気が逃げるため、冷房効率が悪化する他、見透しを阻止しえないという問題があった。
【０００５】
本考案は、以上のような実情に鑑み案出されたもので、建具枠体の縦框と桟とによって形成された開口部を、通気性の簾状シート材により覆われるとともに、この開口部の一部又は全部を、実質的に非通気性の小障子を用いて隠蔽可能とすることを基本として、葦戸や障子を入換えることなく、１つの建具で障子と葦戸とを切り替えを可能とし、特に夏場において、葦戸を小障子が隠蔽することよって、冷房効率を向上し得るとともに、好みに応じて見透しを阻止し得る簾障子を提供することを主たる目的としている。
【課題を解決するための手段】
【０００６】
本考案のうち請求項１に係る考案は、左右縦框と、その上下を横方向に継ぐ上下桟と、該上桟の下方で前記左右縦框間を横方向に継ぐ中桟とからなる建具枠体、前記上桟と中桟とその間の前記左右縦框により囲まれる上開口部を背方の建具面に偏位して閉止する固定障子、前記中桟と下桟とその間の前記左右縦框により囲まれる下開口部を覆うとともに前記背方の建具面に偏位して固定した通気性の簾状シート材、及び常時は前記中桟上方の小障子溜りに収納されるとともに、中桟よりも下方に引き出すことにより前記簾状シート材を前方の建具面側で閉じる移動小障子群とを具え、前記移動小障子群は、連続させて引き出すことにより前記下開口部の全面を閉じる数の移動小障子を含むことを特徴とする。
【０００７】
また請求項２に係る考案は、前記縦框は、前記上下開口部に向く内面に、前記小障子溜りから、各移動小障子が下方に移動して、正面視して全ての移動小障子が縦に並ぶことにより前記下開口部を閉じる各移動小障子の位置までのびかつ前記移動小障子と同数の連続溝が併設されるとともに、  前記小障子溜りは、前記建具枠体に設けられ、移動小障子の上下移動に際して衝合しない状態に折り畳みでき、かつ小障子溜りの移動小障子の下端面を保持しうる戸袋金具を用いて形成されたことを特徴とする請求項１記載の簾障子である。
【０００８】
また請求項３に係る考案は、前記縦框は、前記上下開口部に向く内面に、前記小障子溜りから、各移動小障子が順次下方に移動して、正面視して全ての移動小障子が縦に並ぶことにより前記下開口部を閉じる１本の連続溝を設けるとともに、前記小障子溜りは、前記建具枠体に設けられ、前記縦框を横方向に継ぐとともに移動小障子の下端面を受ける受け面を用いてなり、かつ該受け面は、前記移動小障子の下端面を露出することにより該移動小障子を持ち上げ、前記小障子溜りから前記連続溝に移動小障子を位置変えしうる欠除部を具えることを特徴とする請求項１に記載の簾障子である。
【０００９】
また請求項４に係る考案は、前記受け面は、前記中桟に形成されたこと、また請求項５に係る考案は、前記建具枠体は、前記連続溝内の移動小障子を、自在位置で係止し保持する少なくとも１つの障子止め具を有すること、及び請求項６に係る考案は、前記移動小障子は、小障子枠と、その両面に配する障子紙と、該上下縁を覆い前記連続溝との摺動による破損を防ぐ保護覆いとを具えることを夫々特徴としている。
【００１０】
また請求項７に係る考案は、前記保護覆いは、小障子枠の上下端面に配される基部の両側に前記障子紙を介して該小障子枠を挟む金属、合成樹脂からなるフレーム材であること、また請求項８に係る考案は、前記保護覆いは小障子の横方向全長さを覆うこと、また請求項９に係る考案は、前記小障子枠が合成樹脂からなること、また請求項１０の考案は、前記障子紙は、不織布からなること、及び請求項１１の考案は、前記簾状シート材は、防虫網を含むことを夫々特徴としている。
【考案の効果】
【００１１】
請求項１に係る考案は、左右縦框と、その横方向に継ぐ上下中桟とからなる建具枠体において、上桟と中桟とその間の左右の縦框により囲まれる上開口部を背方の建具面に偏位して閉止する固定障子と、該建具枠体の下中桟とその間の左右の縦框とにより囲まれる下開口部を背方の建具面側に偏位して固定した通気性の簾状シート材と、中桟よりも下方に引き出すことにより、簾状シート材を前方の建具面側で閉じる移動小障子群とを具え、該移動小障子は、中桟上方の小障子溜りに収納される。従って、簾障子は、建具枠体の下開口部が通気性の優れる簾状シート材を前方の建具面側で開放する。これにより、簾障子は、良好に風を通し得るとともに、部屋に風の流れを妨げるような区切りをなくし得る。
【００１２】
また、簾障子は、該移動小障子群を連続させて引き出すことにより、下開口部の全面を閉じる数の移動小障子を含む。従って、簾障子は、適度な断熱性、及び採光性を具える障子として機能する。特に夏場において、葦戸を小障子が隠蔽することよって、冷房効率を向上し得るとともに、見透しを阻止し得る。このように、簾障子は、簾状シート材と移動小障子群とが、建具枠体内に設けられるため、従来のような、障子及び葦戸の取付、取り外しを行なうことなく、建具面において障子と簾状シート材との切替えを容易とする。従って、簾障子は、季節を問わず、あらゆる状況に応じて使用し得る。
【００１３】
請求項２に係る考案は、縦框は、上下開口部に向く内面に、小障子溜りから、各移動小障子が下方に移動して、正面視して全ての移動小障子が縦に並ぶことにより、下開口部を閉じる各移動小障子の位置までのび、かつ移動小障子と同数の連続溝が併設される。これにより、移動小障子は、連続溝に案内されて、下開口部の全部を閉じ得る。また、各連続溝は、その下方における終点の高さが異なるため、一部の移動小障子を連続溝の終端まで案内することにより、下開口部の一部を閉じ得る。従って、簾状シートから入ってくる風や光等を、状況に応じて調節し得る。移動小障子の上下移動に際して衝合しない状態に折り畳みでき、かつ小障子溜りの移動小障子の下面を保持しうる戸袋金具が具えられるので、建具枠体に小障子溜りを形成し得る。
【００１４】
請求項３に係る考案は、縦框は、上下開口部に向く内面に、小障子溜りから、各移動小障子が順次下方に移動して、正面視して全ての移動小障子が縦に並ぶことにより、下開口部を閉じる１本の連続溝を設ける。これにより、移動小障子は、連続溝に案内されて、下開口部の全部を閉じ得る。また、連続溝が、各縦框に１本のみで形成されるので、幅狭の縦框への連続溝の加工が容易となり、生産性を向上し得る。
【００１５】
また、縦框を横方向に継ぐとともに、移動小障子の下端面を受ける受け面が、建具枠体に設けられるので、建具枠体に小障子溜りを形成し得る。受け面は、移動小障子の下端面を露出するとともに、小障子溜りから連続溝に欠除部を具えるので、移動小障子を持ち上げ、容易に移動小障子を位置変えし得る。
【００１６】
請求項４に係る考案は、受け面は、中桟に形成されたことによって、建具枠体の構造をより簡素化でき、請求項５に係る考案は、建具枠体は、連続溝内の移動小障子を、自在位置で係止し保持する少なくとも１つの障子止め具を有するので、移動小障子が下開口部の一部のみを閉じることができ、請求項６に係る考案は、移動小障子は、小障子枠と、その両面に配する障子紙と、上下縁を覆う保護覆いを具えるので、移動小障子と連続溝との摺動時における小障子枠の破損を防ぐとともに、移動小障子を上下移動させる際に、取っ手として機能し、請求項７に係る考案は、保護覆いは、小障子枠の上下端面に配される基部の両側に障子紙を介して該小障子枠を挟む金属、合成樹脂からなるフレーム材であるので、保護覆いは、小障子枠の上下端面から小障子枠の両面にかけて保護しうるので、小障子枠の破損を防ぐ。また、保護覆いは、簾障子に必要な耐久性やデザイン等に応じて材料を選び得ることを夫々効果としている。
【００１７】
請求項８に係る考案は、保護覆いは、小障子の横方向全長さを覆うので、移動小障子と連続溝との摺動時における摩擦等による破損を防ぎ、請求項９に係る考案は、小障子は、小障子枠が合成樹脂からなるため、簾障子に必要な耐久性やデザインに応じて材料を選択でき、請求項１０に係る考案は、障子紙は、不織布からなるので、和紙よりも強度が高く、しかも耐久性に優れ、請求項１１に係る考案は、簾状シート材は、防虫網を含むので、通気性を保持しつつ、害虫等が室内に侵入するのを防ぐことを夫々効果としている。
【考案を実施するための最良の形態】
【００１８】
以下、本考案の実施の一形態が図面に基づき説明される。図１は、本考案の簾障子１の正面図、図２は、そのＡ−Ａ断面図、図３は、その分解斜視図を示す。
【００１９】
図１〜３に示すように、前記簾障子１は、建具枠体２と該建具枠体２の上方に設けた上開口部Ｏａを閉じる固定障子３と、該建具枠体２の下方に設けた下開口部Ｏｂを覆う簾状シート材４と、該下開口部Ｏｂを閉じる複数の移動小障子６からなる移動小障子群５とを具え、かつ上方には前記移動小障子群５を収納する小障子溜り２２を設けて、この小障子溜り２２から前記移動小障子群５を順次下方に引き出すことにより、前記下開口部Ｏｂの前記簾状シート材４を図１における正面、即ち前方の建具面Ｄ１側で遮蔽できる。
【００２０】
前記建具枠体２は、左右縦框１１Ａ、１１Ｂと、その上下を横方向に継ぐ上下桟１２Ａ、１２Ｂからなる外フレームを具える。この外フレームには、該上桟１２Ａの下方で、前記左右縦框１１Ａ、１１Ｂ間を横方向に継ぐ中桟１２Ｃを設けることによって、前記建具枠体２には、前記外フレームに前記上桟１２Ａと前記中桟１２Ｃとその間の前記左右縦框１１Ａ、１１Ｂにより囲まれる前記上開口部Ｏａと、前記中桟１２Ｃと下桟１２Ｂとその間の前記左右縦框１１Ａ、１１Ｂにより囲まれる下開口部Ｏｂとが形成される。なお、前記中桟１２Ｃの前記下桟１２Ｂの上縁からの高さについては、特に限定されないが、前記固定障子３により閉止される前記上開口部Ｏａと、前記簾状シート材４が設けられる前記下開口部Ｏｂとの高さバランスの観点から設定する。換言すると、前記移動小障子６が、前記中桟１２Ｃも含めて前記下開口部Ｏｂを遮蔽するとき、又は、前記中桟１２Ｃを露出させて前記下開口部Ｏｂを覆うときは、整数枚かつ同高さの前記移動小障子６で夫々前記下開口部Ｏｂを遮蔽し得る位置とする。即ち、通常、大略的には、前記上開口部Ｏａの高さの略整数倍となるように、前記下開口部Ｏｂの高さを設定し、前記中桟１２Ｃの位置を定める。
【００２１】
前記建具枠体２の前記左右縦框１１Ａ、１１Ｂと前記上中下桟１２Ａ、１２Ｂ、１２Ｃは、一般的な仕口構造によって枠組みされ、ねじ止め、接着剤などによって固定されても良い。前記建具枠体２は、その前記左右縦框１１Ａ、１１Ｂ及び前記上中下桟１２Ａ、１２Ｂ、１２Ｃが、木材から形成されることが好ましく、アルミニウム等の金属、プラスチック等の合成樹脂から形成されても良い。また、前記建具枠体２は、一般的な障子の寸法で形成されることが好ましく、設置場所に応じて寸法を適宜変更しても良い。例えば、前記建具枠体２の正面から背面にかけての厚さは、３０ｍｍに通常規定されている。
【００２２】
前記固定障子３は、前記上開口部Ｏａを前記背方の建具面Ｄ２側、即ち図１の背面側に偏位して閉止する。前記左右縦框１１Ａ、１１Ｂには、前記上開口部Ｏａに向く内面に、前記固定障子３を嵌合する上の左右縦固定溝１３ａ１、１３ａ２が設けられる。また、前記上中桟１２Ａ、１２Ｃには、前記上開口部Ｏａに向く内面に、前記上の左右縦固定溝１３ａ１、１３ａ２を継ぐ上の上下横固定溝１３ｂ１、１３ｂ２が設けられ、前記固定障子３は、前記上の左右縦固定溝１３ａ１、１３ａ２及び前記上の上下横固定溝１３ｂ１、１３ｂ２に嵌合されることによって、「嵌め殺し」の状態に取付けられる。また、前記固定障子３は、接着剤、釘などによって固定されることが好ましい。
【００２３】
図４に示すように、前記固定障子３は、その枠体を形成する小障子枠１５と、該小障子枠１５の両面に配する障子紙１６とから形成される。前記小障子枠１５は、左右の縦枠体１７ａ、１７ｂと、その横方向に継ぐ上下の横枠体１８ａ、１８ｂと、該上下の横枠体１８ａ、１８ｂの長手方向の中間点を縦方向に継ぐ中の縦枠体１７ｃとから形成される。前記小障子枠１５は、特に限定されないが、前述の建具枠体２と同様に、障子に一般的に用いられている木材から形成されるほか、プラスチックなどの合成樹脂、アルミニウム等の金属から形成されてもよい。前記小障子枠１５は、その両面に、前記障子紙１６が、両面テープ、又は接着剤などによって貼付される。前記障子紙１６は、特に限定されないが、一般的に用いられている和紙等の気密性シートから形成されることが好ましく、また、和紙よりも強度が高く、しかも耐久性に優れた不織布シート、合成樹脂板などを用いても良い。
【００２４】
図５に示すように、前記簾状シート材４は、前記下開口部Ｏｂを覆うとともに、前記背方の建具面Ｄ２側即ち図１の背面側に固定される。前記簾状シート材４は、前記左右縦框１１Ａ、１１Ｂの前記下開口部Ｏｂに向く内面に設けた下の左右縦固定溝１４ａ１、１４ａ２（図３に示す）と、前記下中桟１２Ｂ、１２Ｃの前記下の左右縦固定溝１４ａ１、１４ａ２を継ぐ下の上下横固定溝１４ｂ１、１４ｂ２（図３に示す）とに嵌め殺しに係合される。なお、接着剤、釘、ビスなどの他の手段により着脱自在とできることが好ましい。
【００２５】
前記簾状シート材４は、複数本の棒状部材２１を、間隔を空けて略平行に複数本配置し、編糸３９によって、編み連ねて形成される簾が例示されている。このように、前記簾状シート材４は、隣り合う前記棒状部材２１に、間隔を空けて構成されるため、良好な通気性を有する。前記簾は、特に限定されることなく、前記棒状部材２１木、竹のひご、葦、プラスチック等の合成樹脂の他、金属パイプ等から形成されてもよく、また、前記編糸３９は、ナイロンなどの有機繊維などによって形成されてもよい。図２１に示すように、前記簾状シート材４として、虫が室内に侵入するのを防ぐ防虫網状のもの、織布、不織布等の通気性材を用いても良い。
【００２６】
前記移動小障子群５は、前記小障子溜り２２に収納され、該小障子溜り２２から前記中桟１２Ｃよりも下方に引き出される複数の前記移動小障子６からなり、前記小障子溜り２２から、前記移動小障子６を連続させて引き出すことができる。
【００２７】
前記小障子溜り２２は、図２、図３、図５に示すように、本実施形態では、前記中桟１２Ｃの前記前方の建具面Ｄ１側において、前記移動小障子群５を収納し得る。本例では、前記中桟１２Ｃの前記前方の建具面Ｄ１側の両側に設けた前記移動小障子群５の各移動小障子６の下端面８を戸袋金具２３を用いて保持可能とすることにより、「中桟１２Ｃよりも上方の小障子溜り２２」を形成している。ここで、「中桟１２Ｃよりも上方の小障子溜り２２」とは、前記中桟１２Ｃを含む上方域の意味であって、前記移動小障子６の下端面８が、見映え上、前記中桟１２Ｃの下縁よりも下で支持されないことを意味する。
【００２８】
前記戸袋金具２３は、前記中桟１２Ｃの長手方向に間隔を空けて、例えば２つ設けられる。前記戸袋金具２３は、図８に示すように、翼片２３ａと基片２３ｂとを９０°で開き、かつ折畳み得る蝶番状をなし、常時は、基片２３ｂを前記中桟１２Ｃ、かつ蝶番を縦に固定されることにより、前記翼片２３ａは、９０°の角度をなして前方に突出でき、かつ折り畳み得る。前記翼片２３ａは、折り畳み状態において、全ての前記連続溝２４で前記移動小障子６を通過でき、かつ展開することにより、前記移動小障子６の下端面８を保持する。なお、前記戸袋金具２３は、前記中桟１２Ｃ形成された凹部内に設けて、前記中桟１２Ｃから突出量を減じることにより、前記第１の移動小障子６Ａとの衝合を防ぐ。又前記移動小障子６の下端面８を保持できさえすれば、前記翼片２３ａの折畳み、突出の何れの状態でも、弾性的に保持可能なものなど、種々の形態のものを用い得る。
【００２９】
本実施形態の移動小障子群５は、本実施形態においては、もっとも前記背方の建具面Ｄ２側の第１の移動小障子６Ａから、最も前方の前記第３の移動小障子６Ｃの合計３枚の上下高さの同じ前記移動小障子６Ａ、６Ｂ、６Ｃからなり、前記中桟１２Ｃの下端と前記下桟１２Ｂの上端との前記下開口部Ｏｂを縦に並ぶことによって遮蔽し得る。
【００３０】
前記連続溝２４は、各前記移動小障子６Ａ、６Ｂ、６Ｃにより、前記下開口部Ｏｂの高さの上乃至下１／３領域を覆いうる位置まで案内し得る第１の連続溝２４Ａと、前記下開口部Ｏｂの中間１／３領域の高さ位置まで案内する第２の連続溝２４Ｂと、下乃至上１／３領域まで案内する第３の連続溝２４Ｃとを含む。
【００３１】
図２に示すように、本実施形態では、第１の移動小障子６Ａは、前記下開口部Ｏｂの上１／３領域を覆い、前記第１の連続溝２４Ａは、前記建具枠体２の上方側の端部をその始点３１ａとし、下方側の端部をその終点３２ａとして、該第１の連続溝２４Ａを移動する。また、前記第２の移動小障子６Ｂは、前記下開口部Ｏｂの中間１／３領域を覆い、前記第２の連続溝２４Ｂは、前記建具枠体２の上方側の端部をその始点３１ｂとし、下方側の端部をその終点３２ｂとして、該第２の連続溝２４Ｂを移動する。前記第３の移動小障子６Ｃは、前記下開口部Ｏｂの下１／３領域を覆い、前記第３の連続溝２４Ｃは、前記建具枠体２の上方側の端部をその始点３１ｃとし、下方側の端部をその終点３２ｃとして、該第３の連続溝２４Ｃを移動する。なお、本実施形態において、前記第１移動小障子６Ａは、中桟を覆い得る。
【００３２】
図６に示すように、前記移動小障子６は、図４に示す前記固定障子３に、前記小障子枠１５の上下縁を補強する保護覆い４０に覆われてなり、本実施形態において、該保護覆い４０は、前記小障子枠１５の上下端面１５ａ、１５ｂに配される基部４０ａの両側を、前記障子紙１６側にのびる前記フランジ部４０ｂを具えたフレーム材からなる。前記フランジ部４０ｂが前記障子紙１６を介して、該小障子枠１５を挟むこと、乃至接着剤によって固定される。前記保護覆い４０は、前記小障子枠１５の上下縁の耐久性を向上させるとともに、前記移動小障子６を摺動させる際には取っ手として機能する。本実施形態の前記保護覆い４０は、前記小障子枠１５の横方向全長さを覆っているものが示されている。前記保護覆い４０が、小障子枠１５の横方向全長さを覆うことによって、前記移動小障子６の左右縁は、前記連続溝２４との摺動時に生ずる摩擦等による破損を防ぎ得る。前記保護覆い４０は、特に限定されないが、アルミニウム等の金属のほか、プラスチックなどの合成樹脂等によって形成されてもよい。なお、前記連続溝２４の幅は、前記保護覆い４０の幅よりも大きく形成されており、該保護覆い４０を含む前記移動小障子６は、該連続溝２４内で滑らかに摺動して、前記建具枠体２の上下方向に案内し得る。
【００３３】
以下、この実施形態の前記簾障子１の作用を説明する。図７（ａ）に示すように、前記簾障子１は、前記移動小障子群５が、前記中桟１２Ｃ上方の小障子溜り２２に収納されることによって、前記建具枠体２の下開口部Ｏｂに配される前記簾状シート材４を前記前方の建具面Ｄ１側で開放される。これにより、前記簾障子１は、良好に風を通し得るとともに、部屋に風の流れを妨げるような区切りをなくし得る。
【００３４】
また、前記簾障子１は、図７（ｄ）に示すように、前記各移動小障子６Ａ、６Ｂ、６Ｃが各連続溝２４Ａ、２４Ｂ、２４Ｃの前記各終点３２ａ、３２ｂ、３２ｃに位置するときには、前記建具枠体２を正面視して、前記各移動小障子６Ａ、６Ｂ、６Ｃとに、間隙を生じることなく、前記移動小障子６が縦に並ぶことにより、前記下開口部Ｏｂを閉じることができる。なお、第１、第３の移動小障子６Ａ，６Ｃとが各一部のみ重複してもよい。このように、３枚の前記移動小障子６を、前記小障子溜り２２から下方へ引き出すことによって、前記下開口部Ｏｂの全面を閉じる。従って、前記簾障子１は、部屋の温度変化を抑える断熱性や、太陽の光をほどよく通して拡散して、部屋に落ちついた明るさをもたらし、採光性に優れる障子として機能する。特に夏場において、前記移動小障子群５が前記下開口部Ｏｂを隠蔽することよって、障子がもつ適度な断熱性によって、室内の冷気を保持し得るとともに、日射をやわらげるため、室温の上昇を抑制し、ひいては、冷房効率を向上し得る。また、見透しのよい前記簾障子１を、移動小障子群５が隠蔽するため、好みに応じて見透しを阻止し得る。又図７（ｂ）、（ｃ）に示すように、任意の例えば、１乃至複数枚の前記移動小障子６を必要により下げることも出来る。
【００３５】
従って、前記簾障子１は、前記簾状シート材４と前記移動小障子群５とが、前記建具枠体２内に設けられる。これにより、前記簾障子１は、障子及び葦戸の取付、取り外しを行なうことなく、障子と簾状シート材との切替えを容易に行ない得るので、季節を問わず、あらゆる状況に応じて使用し得る。
【００３６】
また、本発明の簾障子１は、前記移動小障子６の引下げ、引上げに際して図９（ａ）に示すように、前記戸袋金具２３を折り畳んだ状態とする。その前記前方の建具面Ｄ１方向の前記戸袋金具２３の厚さＬ１は、前記中桟１２Ｃと前記第１の移動小障子６Ａとの前記前方の建具面Ｄ１方向の間隔Ｌ２より小とする。これにより、前記第１の移動小障子６Ａは、前記戸袋金具２３に、上下方向の移動を妨げられないため、上下方向に自在に案内される。図９（ｂ）に示すように、前記翼片２３ａと前記基片２３ｂとの角度が略垂直となるように、前記戸袋金具２３を回動させる。これにより、前記第１、第２、第３の移動小障子６Ａ、６Ｂ、６Ｃは、その下端面８ａ、８ｂ、８ｃを前記戸袋金具２３によって支持される。これにより、前記第１、第２、第３移動小障子６Ａ、６Ｂ、６Ｃは、前記小障子溜り２２に収納される。  また、図１０（ａ）（ｂ）に示すように、前記戸袋金具２３の前記翼片２３ａの折畳み量の増加により、順次前記移動小障子６を引き下ろし得る状態を示している。
【００３７】
次に、本考案の他の実施形態を説明する。図１１は、他の実施形態の簾障子１を示す正面図、図１２は、そのＢ−Ｂ断面図、図１３は、その分解斜視図を示す。前記移動小障子群５は、前記左右縦框１１Ａ、１１Ｂの前記上下開口部Ｏａ、Ｏｂに向く内面、かつ前記小障子溜り２２よりも前記前方の建具面Ｄ１側に一本の前記連続溝２４を設けている。また、本実施形態において、前記小障子溜り２２は、前記建具枠体２を形成する前記左右縦框１１Ａ、１１Ｂ及び前記上桟１２Ａと、前記左右縦框１１Ａ、１１Ｂを横方向に継ぐとともに、前記第１、第２、第３移動小障子６の下端面８ａ、８ｂ、８ｃを受ける受け面２５とによって形成される。なお、本実施形態では、前記受け面２５は、前記中桟１２Ｃと一体に形成しているが、特に限定されるではなく、別々に形成されても良い。
【００３８】
前記受け面２５には、その前記前方の建具面Ｄ１側に、前記移動小障子６の脱落防止用の、上に向く突起部２５ｂ（図１４に示す）を設けている。また、前記受け面２５は、前記第１、第２、第３の移動小障子の下端面８ａ、８ｂ、８ｃを露出する欠除部２５ａを具える。なお、前記突起部２５ｂは、前記欠除部２５ａを除いて、前記受け面２５の長手方向にのびて形成されている。主として、前記左右縦框１１Ａ、１１Ｂには、前記上下開口部Ｏａ、Ｏｂに向く内面に、前記連続溝２４内の前記移動小障子６を係止して保持する少なくとも１つの障子止め具２６を有することが好ましい。本実施形態の前記障子止め具２６は、図１７（ａ）、（ｂ）に示すように、前記左右縦框１１Ａ、１１Ｂの各前記連続溝２４、２４に一つずつ埋設され、しかも、それぞれ同一の高さに設定される。
【００３９】
前記障子止め具２６は、例えば、図１８に示すように、前記連続溝２４の底面に固定される基板２８と、該基板２８にピン２９を用いて枢支された振り子板２７とを具える。前記振り子板２７は、阻止片２７ｂと、その下端かつ前記建具枠体２の外側に向けて設けられる錘３０を有する。前記阻止片２７ｂは、常時は錘３０によって回動し、前記基板２８に設けた孔２８ａに、かつこの基板２８の面と面一に配される。また、図１９（ａ）〜（ｄ）に示すように、前記振り子板２７の下方２７ａを押すことにより、回動した阻止片２７ｂは、前記連続溝２４内に突出でき、連続かつ水平状態で適宜係止される。なお、水平な阻止片２７ｂは荷重作用を取り除くことにより垂直状態に戻る。
【００４０】
以下、この実施形態の前記簾障子１の作用を説明する。本実施形態の前記簾障子１は、前記連続溝２４が、各縦框に１本のみで形成されるので、幅狭の前記左右縦框１１Ａ、１１Ｂへの前記連続溝２４の加工が容易となり、生産性を向上し得る。
【００４１】
図１５（ａ）に示すように、前記小障子溜り２２に収納された該移動小障子群５のなかで、最も前方の建具面Ｄ１側に設けられる第３の移動小障子６Ｃを、図１５（ｂ）に示すように前記欠除部２５ａから持ち上げ（矢印Ｇ１）、前記突起部２５ｂを乗り越えて、前記小障子溜り２２から前記連続溝２４に位置変えされる。図１５（ｃ）に示すように、前記第３の移動小障子６Ｃは、前記連続溝２４に案内されて前記中桟１２Ｃの下方へ移動し得る（矢印Ｇ２）。このように、前記欠除部２５ａによって、前記移動小障子６を、前記小障子溜り２２から前記連続溝２４に容易に位置変えし得る。
【００４２】
図１６（ａ）に示すように、前記移動小障子群５は、前記第３の移動小障子６Ｃが前記連続溝２４に案内されて引き下げられ、該第３の移動小障子６Ｃの下端面８ｃが、前記下桟１２Ｂに接する。次に、図１６（ｂ）に示すように、前記第２の移動小障子６Ｂは、前記第３の移動小障子６Ｃと同様に、前記連続溝２４に案内されて引き下げられる。前記連続溝２４の幅は、前記移動小障子６を１つのみを案内し得る長さに設定されているので、該第２の移動小障子の下端面８ｂは、該第３の移動小障子の上端面７ｃに重置される。図１６（ｃ）に示すように、前記第１の移動小障子６Ａは、前記連続溝２４に案内されて引き下げられ、前記第１の移動小障子の下端面８ａは、前記第２の移動小障子の上端面７ｂに重置される。このように、前記移動小障子群５は、前記建具枠体２を正面視して、前記移動小障子群５が縦に並ぶことにより、前記下開口部Ｏｂの前記前方の建具面Ｄ１側を閉じ得るとともに、前記下開口部Ｏｂの前記背方の建具面Ｄ２側に配される前記簾状シート材４を閉じる。
【００４３】
前記移動小障子群５は、前記簾状シート材４を閉じた状態から、前記移動小障子６を前記小障子溜り２２に格納するには、まず該簾状シート材４を閉じた状態で最も上に位置している前記第１の移動小障子６Ａから前記第２、第３の移動小障子６Ｂ，６Ｃの順に、前記小障子溜り２２に格納する。これにより、前記簾状シート材４を前記下開口部Ｏｂの前方の建具面Ｄ１側で開放し得る。
【００４４】
前記障子止め具２６は、前記移動小障子６を該障子止め具２６の位置で保持されるので、例えば、図２０（ａ）に示すように、該移動小障子６を、前記中桟１２Ｃと、前記下桟１２Ｂとの間で保持し得る。また、前記障子止め具２６が埋設される前記連続溝２４の上下方向の高さについては、特に限定されないが、該障子止め具２６を、製造段階で任意の高さで埋設し得る。例えば、図２０（ｂ）に示すように、前記障子止め具２６を、図２０（ａ）よりも下に設置したものが例示されている。前記簾障子１は、前記移動小障子６が前記障子止め具２６によって２枚支持されても、前記下開口部Ｏｂを、前記中桟１２Ｃ側と前記下桟１２Ｂ側で開口することができ、該簾障子１の使用場所や状況に応じて、該移動小障子６を保持して使用することができる。また、本実施形態では、前記障子止め具２６を、前記連続溝２４にそれぞれ１つずつ埋設されているものを例示しているが、特に限定されるものではなく、該障子止め具２６を該連続溝２４の長手方向に複数個埋設してもよい。これにより、前記障子止め具２６は、任意の位置で、前記移動小障子６を支持し得る。
【００４５】
以上、本考案の特に好ましい形態について詳述したが、本考案の前記簾障子１は、前記簾状シート材４、前記固定障子３又は前記移動小障子６などの形、大きさ、範囲を自在に設定し得るなど、図示の実施形態に限定されることなく、種々の態様に変形して実施し得る。
【図面の簡単な説明】
【００４６】
【図１】本考案の簾障子１の正面図である。
【図２】そのＡ−Ａ断面図である。
【図３】その分解斜視図である。
【図４】固定障子の分解斜視図である。
【図５】図２を拡大した部分断面図である。
【図６】移動小障子の分解斜視図である。
【図７】（ａ）移動小障子群が小障子溜りに格納された状態を説明する正面図で、（ｂ）第３の移動小障子を引き下げた状態を説明する正面図、（ｃ）第２、３の移動小障子を引き下げた状態を説明する正面図、（ｄ）第１、２、３の移動小障子を引き下げた状態を説明する正面図である。
【図８】戸袋金具の斜視図である。
【図９】（ａ）戸袋金具を折り畳んだ状態を説明する断面図、（ｂ）翼片と基片との角度が略垂直となるように回動した戸袋金具の状態を説明する断面図である。
【図１０】（ａ）戸袋金具を第３の移動小障子の下端面の支持を解いた状態を説明する断面図、（ｂ）戸袋金具を開いた状態を説明する断面図である。
【図１１】他の実施形態を示す正面図である。
【図１２】そのＢ−Ｂ断面図である。
【図１３】その分解斜視図である。
【図１４】図１２を拡大した部分断面図である。
【図１５】（ａ）移動小障子群が小障子溜りに格納されている状態を説明する断面図、（ｂ）第３の移動小障子を、小障子溜りから連続溝に位置変えされる状態を説明する断面図、（ｃ）第３の移動小障子が連続溝に案内されて下方に引き出される状態を説明する断面図である。
【図１６】（ａ）第３の移動小障子を下桟まで引き下げた状態を説明する正面図、（ｂ）第２の移動小障子を第３の移動小障子に重置させた状態を説明する正面図、（ｃ）第１の移動小障子を第２の移動小障子に重置させた状態を説明する正面図である。
【図１７】（ａ）左縦框の連続溝に埋設される障子止め具を説明する断面図、（ｂ）右縦框の連続溝に埋設される障子止め具を説明する断面図である。
【図１８】前記障子止め具を示す分解斜視図である。
【図１９】（ａ）阻止片が垂直状態の障子止め具を説明する断面図、（ｂ）阻止片が連続溝に突出する状態を説明する断面図、（ｃ）阻止板が移動小障子を支持する障子止め具を説明する断面図、（ｄ）荷重作用が取り除かれた阻止片が垂直状態に戻った状態を説明する断面図である。
【図２０】（ａ）障子止め具によって、１枚の移動小障子が支持される正面図である。（ｂ）障子止め具によって、２枚の移動小障子が支持される正面図である。
【図２１】他の実施形態を示す正面図である。
【符号の説明】
【００４７】
１      簾障子
２      建具枠体
３      固定障子
４      簾状シート材
５      移動小障子群
６      移動小障子
１１Ａ    左縦框
１１Ｂ    右縦框
１２Ａ    上桟
１２Ｂ    下桟
１２Ｃ    中桟
２２      小障子溜り
Ｄ１    前方の建具面
Ｄ２    背方の建具面
Ｏａ    上開口部
Ｏｂ    下開口部
【図１】
0003138968.tif 000003
【図２】
0003138968.tif 000004
【図３】
0003138968.tif 000005
【図４】
0003138968.tif 000006
【図５】
0003138968.tif 000007
【図６】
0003138968.tif 000008
【図７】
0003138968.tif 000009
【図８】
0003138968.tif 000010
【図９】
0003138968.tif 000011
【図１０】
0003138968.tif 000012
【図１１】
0003138968.tif 000013
【図１２】
0003138968.tif 000014
【図１３】
0003138968.tif 000015
【図１４】
0003138968.tif 000016
【図１５】
0003138968.tif 000017
【図１６】
0003138968.tif 000018
【図１７】
0003138968.tif 000019
【図１８】
0003138968.tif 000020
【図１９】
0003138968.tif 000021
【図２０】
0003138968.tif 000022
【図２１】
0003138968.tif 000023